(57)【要約】【課題】  ユーザの利用形態に則して録画を行なうことができる録画装置を提供する。【解決手段】  制御部４は、記録再生部２が録画処理を行なっている間に、予約された録画処理の開始時刻になった場合、記憶部６に記憶された優先度を読出す。制御部４は優先度に従い、現在行なっている録画処理を継続するか、現在行なっている録画処理を停止して予約録画を開始するかを決定する。優先度は録画装置１への初回電源投入時（初期設定時）にユーザにより設定される。これによりユーザの利用形態に応じて録画優先度を設定することができるのでユーザの利便性が向上する。【選択図】        図１
2006295542.tif 000002
【特許請求の範囲】
【請求項１】
録画部と、
前記録画部での録画を制御する制御部とを備え、
前記制御部は、前記録画部が第１の録画処理を行なっている間に、予約設定された第２の録画処理の開始時刻になった場合には、ユーザにより設定され、かつ、設定変更可能であり、前記第１の録画処理と前記第２の録画処理とのいずれを優先するかを示す優先度に従って、前記第１の録画処理を継続するか、前記第１の録画処理を停止して前記第２の録画処理を開始するかを決定し、前記優先度の設定を示す設定情報を前記ユーザに入力させるための設定案内情報を初期電源投入時または前記ユーザから送られる優先度設定指示に応じて出力し、入力された前記設定情報に応じて前記優先度を設定し、
前記制御部から受ける前記設定案内情報を、接続される表示装置に出力する出力部と、
前記優先度を不揮発的に記憶する、書換え可能な記憶部とをさらに備える、録画装置。
【請求項２】
録画部と、
前記録画部での録画を制御する制御部とを備え、
前記制御部は、前記録画部が第１の録画処理を行なっている間に予約設定された第２の録画処理の開始時刻になった場合には、前記第１の録画処理と前記第２の録画処理とのいずれを優先するかを示す優先度に従って、前記第１の録画処理を継続するか前記第１の録画処理を停止して前記第２の録画処理を開始するかを決定し、ユーザから送られる設定情報に応じて前記優先度を設定し、
前記優先度を不揮発的に記憶する、書換え可能な記憶部をさらに備える、録画装置。
【請求項３】
前記制御部は、前記設定情報を前記ユーザに入力させるための設定案内情報を出力する、請求項２に記載の録画装置。
【請求項４】
前記制御部から受ける前記設定案内情報を前記録画装置に接続される表示装置に出力する出力部をさらに備える、請求項３に記載の録画装置。
【請求項５】
前記制御部は、前記録画装置の初期電源投入時に前記設定案内情報を出力する、請求項４に記載の録画装置。
【請求項６】
前記制御部は、前記ユーザから送られる優先度設定指示に応じて前記設定案内情報を出力する、請求項５に記載の録画装置。
【発明の詳細な説明】
【技術分野】
【０００１】
本発明は録画装置に関し、特に複数の録画処理が重複した場合に実行優先度に従って録画処理を行なう録画装置に関する。
【背景技術】
【０００２】
ＡＶ機器を含む家電製品では一般的に電源投入時あるいは使用中に各種機能が設定される。たとえばテレビの場合、画面上に表示された設定メニュー画面の案内に従ってユーザが設定を行なうという設定方法が広く普及している。
【０００３】
各種電子機器の設定方法に関する従来技術として、たとえば特開２００４−１４０５１７号公報（特許文献１）では、設定項目のメニューを表示する機能と、設定項目の選択によって画面遷移し選択された設定項目の操作手順をツリー構造で表示する機能とを備えることで、ユーザによる家電製品の各種設定操作を容易にする家電製品の設定装置が開示される。
【０００４】
また、特開２００２−２００８３０号公報（特許文献２）では、機器の実行条件に含まれる機能の全部又は一部を選択的に切換えて表示させることで、実行条件に含まれる機能の設定内容の確認を容易とする表示装置が開示される。
【０００５】
また、特開２０００−１７２３９４号公報（特許文献３）では、補助メニュー項目情報を用いてユーザが実行を望むであろう動作を予測し、予測した動作のいずれかをユーザに指定させるためのユーザインタフェースを提供し、ユーザによる指定を受け付け、ユーザにより指定された動作の実行指示を機器に通知するユーザインタフェース装置および放送受信装置が開示される。
【特許文献１】特開２００４−１４０５１７号公報
【特許文献２】特開２００２−２００８３０号公報
【特許文献３】特開２０００−１７２３９４号公報
【発明の開示】
【発明が解決しようとする課題】
【０００６】
録画装置での録画処理の場合、ユーザが録画したいときに操作キーを押すと録画が開始される。一方、ユーザは録画装置のタイマー予約録画機能を用い、日あるいは曜日単位で時間帯や放送局を指定して録画できる。ただしユーザが急にある番組を録画しようと思ったとしてもその番組の時間帯と同じ時間帯にタイマー予約録画が設定されている場合がある。従来の録画装置ではユーザ指示による録画を優先するか、タイマー予約録画を優先するかは固定されていたので、どちらの処理が優先されるかはその録画装置に依存する。多くの場合にはユーザ指示による録画が優先される。一方、たとえば連続ドラマの放送のある回だけ録画し損ねることがないようにタイマー予約録画を優先する録画装置もある。
【０００７】
しかしながら、いずれの場合でもユーザは固定された優先度に従って録画しなくてはならないので不満や不便を感じる。たとえば、タイマー予約録画が常に優先されている場合、ユーザは急にある番組を録画したいと思った場合、その番組と同時間帯のタイマー予約録画の設定があればタイマー予約録画の設定を解除しなければならない。一方、ユーザ指示による録画が常に優先されている場合、タイマー予約録画中にユーザが誤って操作ボタンを押すと、タイマー予約録画からユーザ指示による録画に切り換わるため、たとえば録画内容が途切れる可能性がある。
【０００８】
本発明の目的は、ユーザの利用形態に則して録画を行なうことができる録画装置を提供することである。
【課題を解決するための手段】
【０００９】
本発明は要約すれば、録画装置であって、録画部と、録画部での録画を制御する制御部とを備える。制御部は、録画部が第１の録画処理を行なっている間に、予約設定された第２の録画処理の開始時刻になった場合には、ユーザにより設定され、かつ、設定変更可能であり、第１の録画処理と第２の録画処理とのいずれを優先するかを示す優先度に従って、第１の録画処理を継続するか、第１の録画処理を停止して第２の録画処理を開始するかを決定する。制御部は、優先度の設定を示す設定情報をユーザに入力させるための設定案内情報を初期電源投入時またはユーザから送られる優先度設定指示に応じて出力し、入力された設定情報に応じて優先度を設定する。録画装置は、制御部から受ける設定案内情報を、接続される表示装置に出力する出力部と、優先度を不揮発的に記憶する、書換え可能な記憶部とをさらに備える。
【００１０】
本発明の他の局面に従うと、録画装置であって、録画部と、録画部での録画を制御する制御部とを備える。制御部は、録画部が第１の録画処理を行なっている間に予約設定された第２の録画処理の開始時刻になった場合には、第１の録画処理と第２の録画処理とのいずれを優先するかを示す優先度に従って、第１の録画処理を継続するか第１の録画処理を停止して第２の録画処理を開始するかを決定し、ユーザから送られる設定情報に応じて優先度を設定する。録画装置は、優先度を不揮発的に記憶する、書換え可能な記憶部をさらに備える。
【００１１】
好ましくは、制御部は、設定情報をユーザに入力させるための設定案内情報を出力する。
【００１２】
より好ましくは、録画装置は、制御部から受ける設定案内情報を録画装置に接続される表示装置に出力する出力部をさらに備える。
【００１３】
さらに好ましくは、制御部は、録画装置の初期電源投入時に設定案内情報を出力する。
【００１４】
さらに好ましくは、制御部は、ユーザから送られる優先度設定指示に応じて設定案内情報を出力する。
【発明の効果】
【００１５】
本発明の録画装置によれば、ユーザから送られる指示に応じて制御部が録画処理の際の実行優先度を変更することができるので、ユーザの利便性が向上する。
【発明を実施するための最良の形態】
【００１６】
以下において、本発明の実施の形態について図面を参照して詳しく説明する。なお、図中同一符号は同一または相当部分を示す。
【００１７】
［実施の形態１］
図１は、実施の形態１の録画装置の構成例を示すブロック図である。図１を参照して、録画装置１は、たとえばビデオカセットやＤＶＤ（Ｄｉｇｉｔａｌ  Ｖｅｒｓａｔｉｌｅ  Ｄｉｓｃ）レコーダ等の録画装置である。録画装置１は記録再生部２と、制御部４と、記憶部６と、出力部８と、指示入力部１４とを備える。
【００１８】
記録再生部２は、地上アナログ放送を受信するアンテナ２０から受けた映像信号を記録媒体に録画する。また記録再生部２は、衛星デジタル放送を受信するアンテナ２２およびアンテナ２２から送られる放送信号のうち、所望のチャネルを選局するＳＴＢ（Ｓｅｔ  Ｔｏｐ  Ｂｏｘ：セットトップボックス）２４を介して送られる映像信号を記録媒体に録画する。
【００１９】
制御部４は記録再生部２を制御して録画処理を行なう。制御部４は記録再生部２が録画処理を行なっている間に予約された録画処理の開始時刻になった場合、記憶部６に記憶された優先度を読出す。制御部４は優先度に従い、現在行なっている録画処理を継続するか、現在行なっている録画処理を停止して予約録画を開始するかを決定する。優先度は録画装置１への初回電源投入時（初期設定時）にユーザにより設定される。これによりユーザの利用形態に応じて録画優先度を設定することができるのでユーザの利便性が向上する。
【００２０】
記憶部６は録画装置１への電源投入が初めてか否かを示すフラグを記憶する。制御部４はこのフラグを参照し、初回電源投入時には設定メニュー画像等の設定案内情報を出力部８に送る。設定メニュー画像は、たとえば複数のボタン画像やカーソル等で構成される。出力部８は録画装置１に接続されるテレビ１０（表示装置）に設定案内情報を送る。テレビ１０は受けた設定案内情報に応じた内容のメニュー画面を表示する。メニュー画面が表示されることによりユーザの操作性が高くなる。
【００２１】
リモコン１２は録画装置１の操作、および初期設定時における機能の設定のために用いられる。優先度を設定する場合、ユーザによりリモコン１２のいずれかのキーが押下され、指示入力部１４には優先度を指定する情報がリモコン１２から入力される。指示入力部１４は入力した優先度の情報を制御部４に送る。制御部４に送られた優先度の情報は記憶部６に格納される。
【００２２】
記憶部６は具体的には不揮発性メモリ（たとえばフラッシュメモリ）である。よって記憶部６は録画装置１の電源が切られたとしても優先度の情報を保持できる。なお優先度の情報は制御部４の内部に記憶されてもよい。また、優先度の設定が変更された際には記憶部６に記憶される優先度の情報が制御部４により書き換えられる。
【００２３】
録画装置１はさらに時計１６を備える。時計１６は指定された録画開始時刻からタイマー予約録画を行なうために用いられる。
【００２４】
図２は、図１のテレビ１０に表示される、優先度の設定画面の一例を示す図である。図２を参照して、設定画面３０は項目選択部３２、キー画像３３、３４を含む。項目選択部３２は録画処理を実行中に予約録画の開始時刻になった場合に、現在実行中の録画を優先するか、予約録画を優先するかのいずれかをユーザが選んだ場合に、ユーザが選んだ項目を把握するためのボタン画像３２Ａ〜３２Ｃを含む。なお、図２の例では予約録画として記録再生部２によるタイマー予約録画と図１のＳＴＢ２４によるサテライト予約録画とを示す。ユーザが「実行中の録画優先」，「タイマー予約優先」，「サテライト予約優先」のうちのいずれかの項目を選択すると、選択された項目に対応するボタン画像は他の２つのボタン画像と異なって表示される。
【００２５】
なお、「サテライト予約」とは図１のＳＴＢ２４側で設定される録画予約を意味する。サテライト予約が設定されている場合、予約された録画開始時刻になるとＳＴＢ２４は録画装置１に映像信号を送る。制御部４は記録再生部２に映像信号が入力されたことに応じて録画処理を開始する。
【００２６】
キー画像３３が選択されるとユーザにより選択された優先度が有効となる。図２に示す設定画面３０の状態でキー画像３３が選択されると、録画実行中にタイマー予約録画の開始時刻やサテライト予約録画の開始時刻になった場合には現在実行している録画処理を優先するよう設定される。一方、キー画像３４が選択されるとユーザにより選択された優先度が無効となる。キー画像３４が選択された場合、たとえば優先度の設定は初期状態のままとなる。初期状態ではたとえば実行中の録画が優先されるように設定されている。
【００２７】
図３は、録画装置１のメイン処理を示すフローチャートである。図３を参照して、処理が開始されるとまずステップＳ１では、制御部４がキー入力待ち処理を行なう。具体的には、制御部４は指示入力部１４からユーザの指示を示す信号が入力されるまで待機する。ユーザがリモコン１２のキーを押したか、あるいは録画装置１に設けられる操作キーを押したことにより、指示入力部１４にはユーザの指示が入力される。指示入力部１４は入力されたユーザの指示を示す信号を制御部４に送る。
【００２８】
ステップＳ２では、制御部４は現在行なわれている処理が初回電源投入時の処理であるか否かを判定する。制御部４は図１の記憶部６に記憶されたフラグを参照して初回電源投入か否かを判定する。たとえばフラグが「０」である場合（ステップＳ２においてＹＥＳ）、処理はステップＳ３に進む。なお、処理がステップＳ２からステップＳ３に進むに際して制御部４はフラグを「１」に変更する。
【００２９】
ステップＳ３では制御部４はユーザから入力される指示に応じて時計１６の設定や、アンテナ２０が選局するチャネルの設定等の初期設定を行なう。
【００３０】
ステップＳ３に続いてステップＳ４では、録画を実行する際の優先度を設定する優先度設定処理が行なわれる。なお、ステップＳ４における優先度設定処理の詳細は後述する。ステップＳ４での処理が終了すると、続いてステップＳ７では各種動作（録画処理や再生処理、時刻表示等）が行なわれる。
【００３１】
一方、ステップＳ２においてフラグが「１」の場合、つまり現在の処理が初回電源投入時の処理でない場合（ステップＳ２においてＮＯ）、処理はステップＳ５に進む。ステップＳ５では録画実行中か否かが制御部４によって判定される。
【００３２】
録画実行中の場合（ステップＳ５においてＹＥＳ）、処理はステップＳ６に進む。ステップＳ６では制御部４は実行中の録画処理とタイマー予約録画処理あるいはサテライト予約録画処理とが重なる場合にはステップＳ４で設定された優先度に基づいて、いずれの録画処理を優先させるかを判定する重なり判定処理を行なう。重なり判定処理の詳細は後述する。ステップＳ６での重なり判定処理が終了すると処理は上述のステップＳ７に進み、各種動作が実行される。
【００３３】
ステップＳ５において録画実行中でない場合（ステップＳ５においてＮＯ）、処理は上述のステップＳ７に進み、各種動作が実行される。
【００３４】
図４は、図３のステップＳ４における優先度設定処理の詳細を示すフローチャートである。図４を参照して処理が開始されると、まずステップＳ２１では制御部４から出力部８を介し、テレビ１０に設定画面を表示させるためのメニュー画像等の設定案内情報が送られる。テレビ１０は制御部４から送られる設定案内情報に応じ、図２に示す設定画面３０を表示する。
【００３５】
ステップＳ２２では、制御部４は優先度の設定が行なわれたか否かを判定する。ユーザがリモコン１２のキーを押すことにより、設定画面上のキー画像３３，３４のいずれかが選択されたことを示す信号がリモコン１２から指示入力部１４を介して制御部４に送られる。なお、ユーザが優先度を設定した場合には、設定した優先度に関する情報（設定情報）も送信される。指示入力部１４は入力される信号に含まれる設定情報を制御部４に送信する。
【００３６】
制御部４は、優先度の設定があると判定する場合（ステップＳ２２においてＹＥＳ）、つまり設定情報が送られた場合には、ステップＳ２３において、設定された優先度の情報を記憶部６に保存する。一方、制御部４は、優先度が設定されていないと判定する場合（ステップＳ２２においてＮＯ）、そのまま処理を終了する。
【００３７】
図５は、図３のステップＳ６における重なり判定処理を示すフローチャートである。図５を参照して処理が開始されると、まずステップＳ３１では、制御部４は記憶部６にユーザが設定した優先度の情報が記憶されているか、つまり優先度の設定があるか否かを判定する。ステップＳ３１において優先度が設定されていない場合（ステップＳ３１においてＮＯ）、重なり判定処理は終了する。一方、ステップＳ３１において優先度が設定されている場合（ステップＳ３１においてＹＥＳ）、処理はステップＳ３２に進む。
【００３８】
ステップＳ３２では、制御部４は記憶部６に記憶されている優先度に基づいてタイマー予約録画が優先されているか否かを判定する。タイマー予約録画が優先されている場合（ステップＳ３２においてＹＥＳ）、処理はステップＳ３３に進む。ステップＳ３２においてタイマー予約録画以外の録画、つまり、実行中の録画かサテライト予約録画かのいずれかが優先されている場合（ステップＳ３２においてＮＯ）、処理はステップＳ３５に進む。
【００３９】
ステップＳ３３において制御部４は時計１６が示す現在時刻および記憶部６に記憶されたタイマー予約情報に基づいて、現在時刻が予約開始時刻か否かを判定する。現在時刻が予約開始時刻である場合（ステップＳ３３においてＹＥＳ）、ステップＳ３４において制御部４は現在実行中の録画処理を停止し、タイマー予約録画処理を開始する。つまり、ステップＳ３４においてタイマー予約録画処理が現在実行中の録画処理よりも優先されたことになる。現在時刻が予約開始時刻でない場合（ステップＳ３３においてＮＯ）、処理は終了する。つまり現在実行中の録画が継続される。
【００４０】
ステップＳ３５において、制御部４はサテライト予約録画が優先されているか否かを判定する。サテライト予約が優先されている場合（ステップＳ３５においてＹＥＳ）、処理はステップＳ３６に進む。
【００４１】
ステップＳ３６において制御部４は、時計１６が示す現在時刻が監視開始時刻か否かを判定する。「監視開始時刻」とは、図１のＳＴＢ２４に予約設定された録画開始時刻よりも前の時刻であり、ＳＴＢ２４から記録再生部２に映像信号が送られるか否かの監視を開始する時刻のことである。
【００４２】
ステップＳ３６において現在時刻が監視開始時刻の場合（ステップＳ３６においてＹＥＳ）、ステップＳ３８において制御部４は現在実行中の録画を停止する。つまり、ステップＳ３８においてサテライト予約録画処理が現在実行中の録画処理よりも優先されたことになる。一方、ステップＳ３６において現在時刻が監視開始時刻ではない場合（ステップＳ３６においてＮＯ）、処理は終了する。つまり現在実行中の録画が継続される。
【００４３】
またステップＳ３５において、制御部４はサテライト予約が優先されていないと判定する場合（ステップＳ３５においてＮＯ）、重なり判定処理を終了する。この場合には現在実行中の録画が継続される。
【００４４】
以上のように実施の形態１によれば、初回電源投入時にユーザが録画優先度を設定することができるので、録画処理を行なう際のユーザの利便性が向上する。
【００４５】
［実施の形態２］
実施の形態２の録画装置の構成は図１の録画装置１の構成と同様であるので、以後の説明は繰り返さない。実施の形態２の録画装置は初回電源投入時だけでなく、通常の動作中においてもユーザから送られる設定情報により録画処理の際の実行優先度を変更することができる。
【００４６】
たとえばユーザが毎週放送される番組（連続ドラマ等）をタイマー予約録画機能によって録画していたとする。ある１日だけその番組の放送がなく、その番組の放送時刻より先の時刻から放送される別の番組（たとえば映画の放送）をユーザが録画したいと考えたとする。この場合、映画の放送開始時刻までに十分な時間があれば、ユーザはその日のドラマの録画予約を解除し、代わりに映画の録画を予約できる。しかし映画の放送直前にユーザが気づいた場合、ユーザは、すぐに録画を開始しようとして操作ボタンを押したとしても録画途中で処理がタイマー予約録画に切り換わってしまう。よって映画が途中までしか録画されなくなる可能性がある。
【００４７】
実施の形態２の録画装置では初期設定後であっても録画優先度を変更することができる。上述の例の場合には、初期設定時にタイマー予約録画を優先するよう設定されていても映画の放送開始直前に実行中の録画を優先するよう優先度の設定を変更することができる。よって、ユーザが操作ボタンを押して映画放送の録画を開始すれば、タイマー予約録画の開始時刻になっても実行中の録画が優先されるのでユーザは途切れることなく映画を録画することができる。
【００４８】
以下、実施の形態２の録画装置の処理について説明する。なお、実施の形態２の録画装置のメイン処理は図３に示すフローチャートと同様である。よって以後は、実施の形態２の録画装置の通常の動作中において行なわれる、実行優先度を設定する処理について説明する。なお、この処理は図３のフローチャートにおけるステップＳ７の処理（各種動作）の中で行なわれる。
【００４９】
図６は、通常の動作中において行なわれる、実行優先度を設定する処理を示すフローチャートである。図６を参照して処理が開始されると、まずステップＳ４１では、制御部４はキー入力があったか、つまり、ユーザがリモコン１２を押したことによって指示入力部１４から信号が入力されたか否かを判定する。キー入力がない場合（ステップＳ４１においてＮＯ）、処理は終了する。キー入力があった場合（ステップＳ４１においてＹＥＳ）、処理はステップＳ４２に進む。
【００５０】
ステップＳ４２において、制御部４は指示入力部１４から入力された指示が設定変更を指示する信号（優先度設定指示）であるか否かを判定する。入力された信号が優先度設定指示である場合（ステップＳ４２においてＹＥＳ）、処理はステップＳ４３に進む。ステップＳ４３での処理は図３のフローチャートにおけるステップＳ４の優先度設定処理と同じである。よってステップＳ４３では、図４のステップＳ２１〜Ｓ２３に示す各処理が実行される。ステップＳ４３での優先度設定処理が行なわれると全体の処理が終了する。
【００５１】
ステップＳ４２において、入力された信号が優先度設定指示以外の指示である場合（ステップＳ４２においてＮＯ）、処理はステップＳ４４に進む。ステップＳ４４では、入力された指示に応じて制御部４は各種の設定処理（たとえば時刻合わせ等）を実行する。
【００５２】
以上のように実施の形態２によれば、初回電源投入時だけでなく、通常の動作中においてもユーザから送られる優先度設定指示に応じて録画処理の際の実行優先度を変更することができるので、ユーザの利便性がさらに向上する。
【００５３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５４】
【図１】実施の形態１の録画装置の構成例を示すブロック図である。
【図２】図１のテレビ１０に表示される、優先度の設定画面の一例を示す図である。
【図３】録画装置１のメイン処理を示すフローチャートである。
【図４】図３のステップＳ４における優先度設定処理の詳細を示すフローチャートである。
【図５】図３のステップＳ６における重なり判定処理を示すフローチャートである。
【図６】通常の動作中において行なわれる、実行優先度を設定する処理を示すフローチャートである。
【符号の説明】
【００５５】
１  録画装置、２  記録再生部、４  制御部、６  記憶部、８  出力部、１０  テレビ、１２  リモコン、１４  指示入力部、１６  時計、２０，２２  アンテナ、２４  ＳＴＢ、３０  設定画面、３２  項目選択部、３２Ａ〜３２Ｃ  ボタン画像、３３，３４  キー画像、Ｓ１〜Ｓ４４  ステップ。
【図１】
2006295542.tif 000003
【図２】
2006295542.tif 000004
【図３】
2006295542.tif 000005
【図４】
2006295542.tif 000006
【図５】
2006295542.tif 000007
【図６】
2006295542.tif 000008